(57)【特許請求の範囲】
【請求項１】
つまみと移動型物とをケースの上下に配置してこのケースを介して回転自在に結合し、
前記つまみと移動型物間には前記つまみを所定の位置にロックするロック部材を設置し、
前記ロック部材は、前記ケースに設けたロック部材挿通部を介して前記つまみと移動型物間に収納され、且つ板バネによってつまみ側に向けて弾発せしめられ、
前記ロック部材挿通部は、前記ロック部材に設けたロック部を挿通してその移動を規制するロック係合部と、前記ロック部材のロック部をケースの下側に位置せしめてその移動をガイドするガイド部とを具備して構成され、
さらに前記移動型物にロック部材収納部を設けてこのロック部材収納部に前記ロック部材のロック部を上下動自在に収納したことを特徴とするロック機構。
【請求項２】
前記ロック部上に突出するロック部材のつまみ部をつまみに設けた挿入部に挿入したことを特徴とする請求項１記載のロック機構。
【請求項３】
前記ロック部材収納部の底面には、前記移動型物の下面に取り付けた板バネに設けた弾発部を挿入して前記ロック部材のロック部をつまみ側に向けて弾発する挿入部が設けられていることを特徴とする請求項１又は２記載のロック機構。
【発明の詳細な説明】
【０００１】
【発明の属する技術分野】
本発明は、つまみを所定の位置でロックする構造のロック機構に関するものである。
【０００２】
【従来の技術】
従来、各種携帯機器においては、これを操作するために押釦スイッチや回転スイッチ等が取り付けられるが、近年、この種機器の小型化に伴い、スペース上の問題から、これらスイッチなどを１箇所に集める集約化が行われている。
【０００３】
図５はこの種の従来のスイッチ機構を示す図である。同図に示すスイッチ機構は、中央に押釦スイッチ１５０を設置し、その周囲を囲むようにリング状のつまみ１６０を設置して構成されている。押釦スイッチ１５０はこれを押圧することにより操作する。一方つまみ１６０はロック部材１６１を押し下げてそのロックを解除した状態で回動して操作する。そしてつまみ１６０が再びロック位置に戻ってくるとロック部材１６１の下部に取り付けたコイルバネの弾発力によってロック部材１６１が押し上げられてロックされる。
【０００４】
しかしながら上記従来のロック機構においては、ロック部材１６１を押し上げるコイルスプリングや、コイルスプリングを収納する収納部品が必要になるなど、構造が複雑であり、このためさらなる小型化が図れず、また組み立てが煩雑であった。またコイルスプリングを用いるので、ロック部材１６１の下部に設置するロック機構の厚みが厚くなり、その薄型化が阻害されていた。そしてロック機構の小型化・薄型化が阻害されると、スイッチ機構全体の小型化・薄型化が阻害される。
【０００５】
【発明が解決しようとする課題】
本発明は上述の点に鑑みてなされたものでありその目的は、構造が簡単で小型化・薄型化が図れ、製造の容易なロック機構を提供することにある。
【０００６】
【課題を解決するための手段】
上記問題点を解決するため本発明にかかるロック機構は、つまみと移動型物とをケースの上下に配置してこのケースを介して回転自在に結合し、前記つまみと移動型物間には前記つまみを所定の位置にロックするロック部材を設置し、前記ロック部材は、前記ケースに設けたロック部材挿通部を介して前記つまみと移動型物間に収納され、且つ板バネによってつまみ側に向けて弾発せしめられ、前記ロック部材挿通部は、前記ロック部材に設けたロック部を挿通してその移動を規制するロック係合部と、前記ロック部材のロック部をケースの下側に位置せしめてその移動をガイドするガイド部とを具備して構成され、さらに前記移動型物にロック部材収納部を設けてこのロック部材収納部に前記ロック部材のロック部を上下動自在に収納したことを特徴とする。
また本発明は、前記ロック部上に突出するロック部材のつまみ部をつまみに設けた挿入部に挿入したことを特徴とする。
また本発明は、前記ロック部材収納部の底面には、前記移動型物の下面に取り付けた板バネに設けた弾発部を挿入して前記ロック部材のロック部をつまみ側に向けて弾発する挿入部が設けられていることを特徴とする。
【０００７】
【発明の実施の形態】
以下、本発明の実施形態を図面に基づいて詳細に説明する。
図１は本発明の一実施形態にかかるロック機構を用いたスイッチ機構の斜視図である。同図に示すようにこのスイッチ機構は、ロック機構付きのつまみ１０の内部に押釦つまみ３０を取り付けて構成されている。そして押釦つまみ３０を押圧すると、その内部に設けたオンオフスイッチがオンする。一方つまみ１０はこの位置にロックされていて回転しないが、ロック部材７０のつまみ部７３を押圧してロックを解除した状態にすればつまみ１０を回転することができる。つまみ１０は例えば４５°の角度範囲で回動する。一度ロックが外れると、つまみ部７３の押圧をやめてもロック解除状態のままであるが、図示の位置に戻ってくると再びロックがかかる。
【０００８】
図３はこのスイッチ機構の分解斜視図である。同図に示すようにこのスイッチ機構は、つまみ１０と、押釦つまみ３０と、ケース４０と、回転型物（移動型物）６０と、ロック部材７０と、板バネ８０と、フレキシブル基板１００と、固定台１１０とを具備して構成されている。以下各構成部品について説明する。
【０００９】
つまみ１０は合成樹脂を略平板状に成形して構成されており、その内部に押釦つまみ３０を貫通する挿通孔１１と、下記するロック部材７０のつまみ部７３を挿入する挿入部１３とを設け、またその下面からケース４０を介してその下面側に突出して回転型物６０に固定される複数の固定部１５を突設して構成されている。
【００１０】
押釦つまみ３０は合成樹脂を略円柱状に成形して構成されており、その上部の本体部３１の外周につば部３３を設け、またその下面からは押圧部３５を突出して構成されている。
【００１１】
ケース４０は合成樹脂を板状に成形して構成されており、その所定位置には前記押釦つまみ３０の押圧部３５を挿通する挿通部４１を設け、挿通部４１の周囲には円弧状であって前記つまみ１０の固定部１５を所定角度回動自在に挿入する挿入部４３，４３を設け、さらに挿入部４３の外側の前記つまみ１０の挿入部１３に対応する位置に下記するロック部材７０を係合・離脱するロック部材挿通部４５を設けて構成されている。このロック部材挿通部４５は、下記するロック部材７０のつまみ部７３のみを挿通してガイドする円弧状のガイド部４５ａと、ロック部材７０のロック部７１を係合してその移動をロックするロック係合部４５ｂとを設けて構成されている。
【００１２】
ケース４０の下面の所定位置からは、これをフレキシブル基板１００などに固定するための固定突起４７が突出している。
【００１３】
回転型物６０はモールド樹脂によって構成されており、リング状の本体部６１の外周から舌片状の摺動子取付部６３と、ロック部材収納部６５とを突設している。本体部６１には前記つまみ１０の固定部１５を挿入して固定する貫通孔からなる複数の固定部６７が設けられている。摺動子取付部６３の下面からは２本の摺動子固定突起６９が突出しており、この摺動子取付部６３の下面に金属板製の摺動子１２０を取り付け、摺動子１２０に設けた２つの取付穴１２１に前記摺動子固定突起６９を挿入してその先端を熱カシメして固定する。摺動子１２１には３本の摺接部１２３（図３では手前側のもののみが見える）が下向きに設けられている。
【００１４】
ここでロック部材７０はモールド樹脂によって構成されており、略矩形状のロック部７１の上面からつまみ部７３を突出して構成されている。ロック部７１の前後の辺からは、係止部７５，７５（図３では手前側のみ示す）が突出している。
【００１５】
そして前記回転型物６０のロック部材収納部６５は、前記ロック部材７０のロック部７１を上下動自在に収納する寸法形状の収納部６７を具備し、また収納部６７の底面には下記する板バネ８０の弾発部８７を挿入できる寸法の挿入部６９を設けて構成されている。
【００１６】
次に板バネ８０は弾性金属板によって構成され、略リング状の本体部８１の外周から弾発部８７を突出して構成されている。本体部８１には前記回転型物６０の固定部６７と同一位置に同一形状の固定部８３を設け、またその所定位置には円弧状のクリック弾発部８５を設けている。クリック弾発部８５はその全体を下向きに湾曲せしめると共にその中央に弾発部８５ａを設けて構成されている。弾発部８７はその根元部分を上方向に折り曲げて斜め上方に向け、その先端近傍を当接部８７ａとして構成されている。
【００１７】
ここで図４はフレキシブル基板１００と固定台１１０を示す斜視図である。フレキシブル基板１００は、合成樹脂シートの表面に所定の回路パターンを印刷形成して構成されている。図４では回路パターンの内のスイッチパターン１０１の部分のみを示しているが、このスイッチパターン１０１は前記摺動子１２０の３本の摺接部１２３が摺接することでスイッチの接続状態を切り換えるように形成されている。
【００１８】
またフレキシブル基板１００の前記板バネ８０のクリック弾発部８５を設けた部分に対向する位置には開口１０３が設けられ、また前記押釦つまみ３０の真下に位置する部分には、フレキシブル基板の一部を折り返すことで対向する接点パターン（図示せず）によってスイッチ接点部１０５を形成している。
【００１９】
一方固定台１１０は金属板などの硬質板によって構成され、前記フレキシブル基板１００の開口１０３に対向する位置に４つの開口又は凹みからなるクリック係合部１１１を設けて構成されている。またフレキシブル基板１００と固定台１１０の前記ケース４０の固定突起４７に対向する位置には固定穴１０７，１１３が設けられている。
【００２０】
なお図３に示す１３０は略台形状に形成された弾性ゴム製のクリックバネであり、フレキシブル基板１００のスイッチ接点部１０５上に取り付けられる。
【００２１】
そしてこのスイッチ機構を組み立てるには、ケース４０上に押釦つまみ３０とつまみ１０を載置する。その際ケース４０の挿通部４１に押釦つまみ３０の押圧部３５を挿通し、ケース４０の挿入部４３，４３につまみ１０の固定部１５を挿入する。このときつまみ１０の挿通孔１１に押釦つまみ３０の本体部３１が挿入される。
【００２２】
次に回転型物６０のロック部材収納部６５内にロック部材７０のロック部７１を挿入し、また前述のように摺動子取付部６３の下面に摺動子１２０を取り付けたものを、ケース４０の下面に配置することでケース４０の下面から突出しているつまみ１０の固定部１５の先端を回転型物６０の固定部６７に挿入する。さらに回転型物６０の下面に板バネ８０を取り付けることで、板バネ８０の固定部８３につまみ１０の固定部１５を挿入してその先端を熱カシメする。これによってつまみ１０と回転型物６０と板バネ８０はケース４０を介して回動自在に結合される。
【００２３】
そしてこのケース４０の下面にクリックバネ１３０とフレキシブル基板１００と固定台１１０を取り付ける。その際、ケース４０に設けた固定突起４７を固定穴１０７，１１３に挿入してその先端を固定台１１０の下面で熱カシメして固定する。これによってこのスイッチ機構が完成する。
【００２４】
図２はスイッチ機構の概略側断面図である。同図に示すようにクリックバネ１３０上には押釦つまみ３０の押圧部３５の下面が当接し、その本体部３１をつまみ１０の挿通孔１１から突出せしめている。また板バネ８０の弾発部８７は、回転型物６０の挿入部６９内に入り込んでロック部材７０のロック部７１底面を上方向に押し上げるように弾発している。図２においては、ロック部７１がロック係合部４５ｂ（図３参照）内に入り込んで係合している状態を示しており、このときつまみ部７３はつまみ１０の挿入部１３から最も高く突出している。ロック部７１がロック係合部４５ｂに係合しても、ロック部７１に設けた係止部７５，７５がケース４０の下面に当接するので、ロック部材７０がケース４０から抜け出ることはない。
【００２５】
図示の状態から押釦つまみ３０を押圧すると、押圧部３５がクリックバネ１３０を押し込んでこれを反転し、その真下のスイッチ接点部１０５を押圧してこれをオンする。押釦つまみ３０への押圧を解除すればクリックバネ１３０の弾発力で各部材は元の位置に戻り、スイッチ接点部１０５はオフする。
【００２６】
一方つまみ部７３を押圧すると、弾発部８７の弾発力に抗してロック部材７０が下降し、ロック部７１とロック係合部４５ｂとの係合が解除される。そしてこの状態のままつまみ１０を回動すると、ロック部７１はケース４０の下面側を移動していく。つまみ１０の回動によって同時に回転型物６０も回動するので、図３に示す摺動子１２０の摺接部１２３がスイッチパターン１０１上を摺動し、そのオンオフ状態を変化していく。このとき同時にクリック弾発部８５の弾発部８５ａが基台１１０のクリック係合部１１１へ係合・離脱することでクリック感覚が生じる。
【００２７】
つまみ１０を回動している最中は、つまみ部７３を押圧していなくてもロックは解除されたままであるが、ロック部７１がロック係合部４５ｂの位置に戻ってきたときは弾発部８７の押上げ力によって両者が係合して図２に示す状態に戻るので、ロック状態となる。
【００２８】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や材質であっても、本願発明の作用・効果を奏する以上、本願発明の技術的思想の範囲内である。
【００２９】
例えば上記実施形態ではつまみ１０の中央に押釦つまみ３０などの部品からなる押釦スイッチ機構を配置させたが、この部分には揺動スイッチ機構など、他の各種機構を配置させても良い。また場合によってはつまみ１０の中央には何ら他の機構を配置しなくても良い。
【００３０】
またロック機構の構造も前記実施形態の形状・構造のものに限定されるものではなく、各種変形が可能である。例えば上記実施形態では本発明にかかるロック機構を回転式のスイッチ機構に適用したが、スライド式のスイッチ機構に適用しても良い。要はロック部材を直接又は間接に板バネによって弾発することでロックするロック構造であればどのような構造であっても良い。また本発明にかかるロック機構を取り付けるのは、スイッチ機構に限らず、抵抗器などの他の電子部品機構であってもよい。
【００３１】
【発明の効果】
以上詳細に説明したように本発明によれば以下のような優れた効果を有する。▲１▼ロック部材を板バネによって弾発するだけで構成できるので、複雑な構造の部品が不要になって構造が簡単になり小型化が図れ、またコイルスプリングを使用しないのでその厚みの薄型化が図れ、組み立ても容易になる。
【００３２】
▲２▼ロック部材を弾発する板バネにクリック弾発部を設けたので、両者を一部品で構成でき、この点からも構造が簡単になると共に部品点数が削減でき、組み立ても容易になる。
【図面の簡単な説明】
【図１】本発明の一実施形態にかかるロック機構を用いたスイッチ機構の斜視図である。
【図２】スイッチ機構の概略側断面図である。
【図３】スイッチ機構の分解斜視図である。
【図４】フレキシブル基板１００と固定台１１０を示す斜視図である。
【図５】従来のスイッチ機構を示す図である。
【符号の説明】
１０  つまみ
３０  押釦つまみ
４０  ケース
４５  ロック部材挿通部
４５ａ  ガイド部
４５ｂ  ロック係合部
６０  回転型物（移動型物）
６５  ロック部材収納部
６７  収納部
６９  挿入部
７０  ロック部材
７１  ロック部
７３  つまみ部
７５  係止部
８０  板バネ
８１  本体部
８５  クリック弾発部
８５ａ  弾発部
８７  弾発部
８７ａ  当接部
１００  フレキシブル基板
１１０  固定台
１１１  クリック係合部
１２０  摺動子
１３０  クリックバネ
【図１】
0003751787.tif 000002
【図２】
0003751787.tif 000003
【図３】
0003751787.tif 000004
【図４】
0003751787.tif 000005
【図５】
0003751787.tif 000006